(57)【特許請求の範囲】
【請求項１】
温水利用箇所に温水を供給する温水供給システムであり、
熱媒体を循環させる熱媒体循環路を備えたヒートポンプと、
バーナ加熱装置と、
温水利用箇所に供給する水を貯留する蓄熱タンクと、
蓄熱タンクの下部から蓄熱タンク内の水を導入し、導入した水を熱媒体循環路内の熱媒体との熱交換によって加熱し、加熱した水を蓄熱タンクの上部に戻すタンク水加熱水路と、
浴槽と、
熱媒体循環路内の熱媒体との熱交換によって浴槽内の水を加熱することが可能であるとともに、バーナ加熱装置によって浴槽内の水を加熱することが可能な浴槽水加熱水路と、
浴槽水の温度を検出する温度検出手段と、
浴槽水を加熱する追い焚き運転を制御する制御装置、
を備えており、
追い焚き運転において、制御装置は、温度検出手段の検出温度が基準温度以上であるときに熱媒体循環路内の熱媒体との熱交換によって浴槽内の水を加熱し、温度検出手段の検出温度が基準温度未満であるときにバーナ加熱装置によって浴槽内の水を加熱する、
ことを特徴とする温水供給システム。
【請求項２】
熱媒体循環路とタンク水加熱水路の間、及び、熱媒体循環路と浴槽水加熱水路の間で熱交換可能な三流体熱交換器を備えており、
浴槽水加熱水路が、浴槽水を循環する浴槽水循環水路と、水を循環する水循環水路を有しており、
熱媒体循環路内の熱媒体と水循環水路内の水との熱交換によって水循環水路内の水を加熱可能であり、
バーナ加熱装置は、水循環水路内の水を加熱し、
水循環水路内の水と浴槽水循環水路内の浴槽水との熱交換によって浴槽水循環水路内の浴槽水を加熱可能であり、
水循環水路内の水の熱を利用して暖房する暖房機をさらに有している、
ことを特徴とする請求項１の温水供給システム。
【発明の詳細な説明】
【技術分野】
【０００１】
本発明は、ヒートポンプと蓄熱タンクを備えており、ヒートポンプで加熱した温水を温水利用箇所に供給する温水供給システムに関する。
【背景技術】
【０００２】
特許文献１には、ヒートポンプと蓄熱タンクを備えた温水供給システムが開示されている。蓄熱タンク内の水は、循環水路に導入され、ヒートポンプによって加熱された後に、蓄熱タンクに戻される。したがって、蓄熱タンクには、ヒートポンプにより加熱された温水が貯留される。蓄熱タンク内の温水は、浴槽や給湯栓等の温水利用箇所に供給される。
ヒートポンプは、水を高効率で加熱することができる。なお、ヒートポンプの効率とは、ヒートポンプへの入力電力に対して水に与えられる熱量（エネルギー量）をいう。一方、ヒートポンプは、加熱能力（単位時間当たりに水に与える熱量）はそれほど高くない。すなわち、短時間で多量の温水を生成することはできない。このため、特許文献１の温水供給システムは、ヒートポンプで加熱した温水を蓄熱タンクに貯留し、必要時に蓄熱タンク内の温水を温水利用箇所に供給する。したがって、浴槽に湯張りをする場合等のように、一度に多量の温水が必要とされる場合でも、十分な量の温水を供給できる。
【０００３】
【特許文献１】特開２００４−１２５２２６号公報
【発明の開示】
【発明が解決しようとする課題】
【０００４】
特許文献１の温水供給システムは、蓄熱タンクの下部から循環水路に水を導入し、導入した水をヒートポンプで加熱した後に蓄熱タンクの上部に戻す。したがって、蓄熱タンクの上部に高温の水の層が形成され、下部に低温の水の層が形成される。温水利用箇所には、蓄熱タンクの上部の高温の水が供給される。したがって、高温の水は、温水利用箇所で必要とされる温度（例えば、５０℃前後）に維持されている必要がある。一方、蓄熱タンクの下部の低温の水の温度は、満蓄時を除けば、２０℃前後であることが多い。したがって、ヒートポンプは、多くの場合、２０℃前後の水を５０℃前後まで加熱する運転を行うことになる。すなわち、ヒートポンプは、水を数十℃昇温させる。しかしながら、ヒートポンプが最高効率で作動するのは、水を数℃（例えば、２℃〜１０℃程度）昇温させるときである。ヒートポンプによって蓄熱タンク内の水を加熱する運転は、ヒートポンプとしてはそれほど効率がよい運転ではない。
一方で、特許文献１の温水供給システムでは、全ての温水利用箇所に蓄熱タンク内の温水が供給される。すなわち、ヒートポンプで生成した温水が、蓄熱タンクを経由しないで温水利用箇所に供給されることがない。ヒートポンプは蓄熱タンク内の水の加熱にのみに用いられる。したがって、常に加熱効率が低い条件でヒートポンプが運転されるという問題があった。
【０００５】
本発明は、上述した実情に鑑みてなされたものであり、より高効率で運転する温水供給システムを提供することを目的とする。
【課題を解決するための手段】
【０００６】
本発明の温水供給システムは、温水利用箇所に温水を供給する。この温水供給システムは、熱媒体を循環させる熱媒体循環路を備えたヒートポンプと、バーナ加熱装置と、温水利用箇所に供給する水を貯留する蓄熱タンクと、蓄熱タンクの下部から蓄熱タンク内の水を導入し、導入した水を熱媒体循環路内の熱媒体との熱交換によって加熱し、加熱した水を蓄熱タンクの上部に戻すタンク水加熱水路と、浴槽と、熱媒体循環路内の熱媒体との熱交換によって浴槽内の水を加熱することが可能であるとともに、バーナ加熱装置によって浴槽内の水を加熱することが可能な浴槽水加熱水路と、浴槽水の温度を検出する温度検出手段と、浴槽水を加熱する追い焚き運転を制御する制御装置を備えている。追い焚き運転において、制御装置は、温度検出手段の検出温度が基準温度以上であるときに熱媒体循環路内の熱媒体との熱交換によって浴槽内の水を加熱し、温度検出手段の検出温度が基準温度未満であるときにバーナ加熱装置によって浴槽内の水を加熱する。
なお、上記の「浴槽水加熱水路」は、単一の熱交換器を介して熱媒体から浴槽内の水（以下では、浴槽水という場合がある）に熱を伝達する水路であってもよい。また、第１の熱交換器によって熱媒体から第２の熱媒体に熱を伝達し、第２の熱交換器によって第２の熱媒体から浴槽水に熱を伝達する水路であってもよい。すなわち、複数の熱交換器を介して熱媒体から浴槽水に熱が伝達される水路であってもよい。
また、上記の「温水利用箇所に温水を供給する」とは、給湯栓や浴槽等で出湯するために温水を供給する（すなわち、供給した水を回収しない）ことだけではなく、熱交換器や暖房機等に温水を供給し（すなわち、熱を供給し）、放熱後の温水を回収することも含む。
【０００７】
この温水供給システムは、ヒートポンプの熱媒体との熱交換によって、タンク水加熱水路内の水を加熱する。タンク水加熱水路は、蓄熱タンクの下部から水を導入し、蓄熱タンクの上部に水を戻すので、蓄熱タンク内には高温の水の層と低温の水の層が形成される。タンク水は、温水利用箇所に供給される。
また、この温水供給システムでは、タンク水を加熱するタンク水加熱水路とは別に、浴槽水を加熱する浴槽水加熱水路を備えている。浴槽水を加熱（すなわち、追い焚き）するときには、ヒートポンプの熱媒体の熱は、浴槽水加熱水路により浴槽水に伝達される。すなわち、タンク水の熱を利用することなく、浴槽水を加熱する。追い焚き運転は、通常は、浴槽水の温度を数℃程度上昇させる運転である（例えば、３７℃前後の浴槽水を４２℃前後に昇温させる）。したがって、ヒートポンプを非常に高効率で作動させることができる。
このように、この温水供給システムは、蓄熱タンクを備えているにも係わらず、浴槽水を追い焚きするときにタンク水の熱を利用しない。ヒートポンプの熱媒体の熱を、蓄熱タンクを経由しないで、浴槽水に伝達する。したがって、非常に高効率で浴槽水を加熱することが可能となる。
【０００８】
上述した温水供給システムは、熱媒体循環路とタンク水加熱水路の間、及び、熱媒体循環路と浴槽水加熱水路の間で熱交換可能な三流体熱交換器を備えていることが好ましい。また、上記の温水供給システムは、浴槽水加熱水路が、浴槽水を循環する浴槽水循環水路と、水を循環する水循環水路を有していてもよい。この場合、熱媒体循環路内の熱媒体と水循環水路内の水との熱交換によって水循環水路内の水を加熱可能であることが好ましい。バーナ加熱装置は、水循環水路内の水を加熱することが好ましい。また、水循環水路内の水と浴槽水循環水路内の浴槽水との熱交換によって浴槽水循環水路内の浴槽水を加熱可能であることが好ましい。また、水循環水路内の水の熱を利用して暖房する暖房機をさらに有することが好ましい。
このような構成によれば、熱媒体循環路とタンク水加熱水路の間の熱交換と、熱媒体循環路と浴槽水加熱水路の間の熱交換を１つの熱交換器で行うことができる。したがって、システムを小型化することができる。
【発明の効果】
【０００９】
本発明の温水供給システムによれば、浴槽水を加熱するときに、ヒートポンプをより高効率で作動できる。より高効率で運転する温水供給システムを提供することができる。
【発明を実施するための最良の形態】
【００１０】
下記に詳細に説明する実施例の構成を最初に列記する。
（特徴１）温水供給システムは、
熱媒体を循環させる熱媒体循環路を備えたヒートポンプと、
温水利用箇所に供給する水を貯留する蓄熱タンクと、
蓄熱タンクの下部から蓄熱タンク内の水を導入し、導入した水を蓄熱タンクの上部に戻すタンク水加熱水路と、
熱媒体循環路内の熱媒体とタンク水加熱水路内の水との間で熱交換させて、タンク水加熱水路内の水を加熱するタンク熱交換器と、
浴槽と、
浴槽から水を導入し、導入した水を浴槽に戻す浴槽水加熱水路と、
熱媒体を循環させる第２熱媒体循環路と、
熱媒体循環路内の熱媒体と第２熱媒体循環路内の熱媒体との間で熱交換させて、第２熱媒体循環路内の熱媒体を加熱する第１浴槽熱交換器と、
第２熱媒体循環路内の熱媒体と浴槽循環路内の水との間で熱交換させて、浴槽循環路内の水を加熱する第２浴槽熱交換器
を備えている。
（特徴２）蓄熱タンク内の水、または、蓄熱タンク内の水により加熱された水を温水利用箇所に供給する供給水路をさらに備えている。
【実施例】
【００１１】
本発明の実施例に係る温水供給システムについて、図面を参照しながら説明する。図１は、温水供給システム１０の概略構成を示す接続図である。温水供給システム１０は、給湯栓１００、浴槽１０２に温水を供給する。また、温水供給システム１０は、浴槽１０２内の水（以下では、浴槽水という場合がある）を加熱（追い焚き）する。さらに、温水供給システム１０は、低温暖房機１０４と高温暖房機１０６に温水を供給し、低温暖房機１０４と高温暖房機１０６を作動させる。
【００１２】
図示するように、温水供給システム１０は、ヒートポンプ５０と、タンク水系統２０と、追い焚き・暖房系統６０を備えている。ヒートポンプ５０は、外気を利用して高温を生成する熱源である。タンク水系統２０は、蓄熱タンク２２と、蓄熱タンク２２に接続されている各水路により構成されている。タンク水系統２０は、ヒートポンプ５０により加熱された水を蓄熱タンク２２に貯留するとともに、蓄熱タンク２２内の水を給湯栓１００及び浴槽１０２に供給する。追い焚き・暖房系統６０は、ヒートポンプ５０で生じる熱を浴槽１０２、低温暖房機１０４及び高温暖房機１０６に伝達する。また、温水供給システム１０は、制御装置９０を備えている。制御装置９０は、温水供給システム１０の各部の動作を制御する。
【００１３】
ヒートポンプ５０は、熱媒体（本実施例ではフロン）を循環させる熱媒体循環路５１と、熱媒体循環路５１に配設されている熱交換器（蒸発器）５２、圧縮器５３、三流体熱交換器（凝縮器）５４、膨張弁５５を備えている。圧縮器５３が熱媒体循環路５１内の熱媒体を送り出すので、熱媒体が、熱交換器５２、圧縮器５３、三流体熱交換器５４、膨張弁５５の順に熱媒体循環路５１内を循環する。
【００１４】
熱交換器５２は、外気を送風するファンを備えており、送風した外気と熱媒体循環路５１内の熱媒体との間で熱交換させる。後に説明するように、熱交換器５２には、膨張弁５５を通過後の低圧低温の液体状態にある熱媒体が供給される。熱交換器５２は、熱媒体と外気とを熱交換させることによって、熱媒体を加熱する。熱媒体は、加熱されることにより気化して、比較的高温であり、低圧の気体状態となる。
【００１５】
圧縮器５３は、熱媒体循環路５１内の熱媒体を圧縮して三流体熱交換器５４側に送り出す。圧縮器５３には、熱交換器５２を通過後の熱媒体が供給される。すなわち、比較的高温であり、低圧の気体状態にある熱媒体が供給される。圧縮器５３が熱媒体を圧縮すると、熱媒体は高温高圧の気体状態となる。
【００１６】
三流体熱交換器５４は、熱媒体循環路５１内の熱媒体と後述するタンク水加熱水路３０内の水との間で熱交換させる運転、及び、熱媒体循環路５１内の熱媒体と後述する熱回収水路６３内の水との間で熱交換させる運転を実行することができる。三流体熱交換器５４の熱媒体循環路５１には、圧縮器５３から送り出された熱媒体が供給される。すなわち、高温高圧の気体状態にある熱媒体が供給される。三流体熱交換器５４では、熱媒体からタンク水加熱水路３０内の水、または、熱回収水路６３内の水に熱が伝達される。すなわち、三流体熱交換器５４でタンク水加熱水路３０内の水、または、熱回収水路６３内の水が加熱される。熱媒体は、三流体熱交換器５４で熱を奪われて凝縮する。これによって、熱媒体は、比較的低温であり、高圧の液体状態となる。
【００１７】
膨張弁５５には、三流体熱交換器５４を通過後の熱媒体が供給される。すなわち、比較的低温であり、高圧の液体状態の熱媒体が供給される。熱媒体は、膨張弁５５を通過することによって、減圧される。これによって、低温低圧の液体状態となる。膨張弁５５を通過した熱媒体は、上述したように熱交換器５２に供給される。
【００１８】
以上のように、ヒートポンプ５０が作動すると、熱媒体循環路５１内を熱媒体が循環し、三流体熱交換器５４によってタンク水加熱水路３０内の水、または、熱回収水路６３内の水が加熱される。
【００１９】
タンク水系統２０は、蓄熱タンク２２と、タンク水加熱水路３０と、水道水導入水路３４と、供給水路３６と、バーナ加熱装置３８を備えている。
【００２０】
タンク水加熱水路３０は、上流端が蓄熱タンク２２の下部に接続されており、下流端が蓄熱タンク２２の上部に接続されている。タンク水加熱水路３０には、循環ポンプ３２が介装されている。循環ポンプ３２は、タンク水加熱水路３０内の水を上流側から下流側へ送り出す。また、上述したように、タンク水加熱水路３０は、ヒートポンプ５０の三流体熱交換器５４を通過している。ヒートポンプ５０を作動させると、タンク水加熱水路３０内の水が三流体熱交換器５４で加熱される。したがって、循環ポンプ３２とヒートポンプ５０を作動させると、蓄熱タンク２２の下部の水が三流体熱交換器５４に送られて加熱され、加熱された水が蓄熱タンク２２の上部に戻される。すなわち、タンク水加熱水路３０は、蓄熱タンク２２に蓄熱するための水路である。
【００２１】
水道水導入水路３４は、上流端が水道水供給源１１０に接続されている。水道水導入水路３４の下流側は、第１導入水路３４ａと第２導入水路３４ｂに分岐している。第１導入水路３４ａの下流端は、蓄熱タンク２２の下部に接続されている。第２導入水路３４ｂの下流端は、供給水路３６の途中に接続されている。第１導入水路３４ａには、逆止弁３４ｃが介装されている。第２導入水路３４ｂには、逆止弁３４ｄと流量調整弁３４ｅが介装されている。流量調整弁３４ｅは、第２導入水路３４ｂ内を流れる水道水の流量を調整する。
【００２２】
供給水路３６は、上流端が蓄熱タンク２２の上部に接続されている。上述したように、供給水路３６の途中には、水道水導入水路３４の第２導入水路３４ｂが接続されている。第２導入水路３４ｂとの接続部より上流側の供給水路３６には、流量調整弁３６ａが介装されている。流量調整弁３６ａは、供給水路３６内を流れる水の流量を調整する。第２導入水路３４ｂとの接続部より下流側の供給水路３６には、バーナ加熱装置３８が介装されている。バーナ加熱装置３８は、供給水路３６内の水を加熱する。バーナ加熱装置３８より下流側の供給水路３６は、給湯栓水路３６ｂと浴槽水路３６ｃに分岐している。給湯栓水路３６ｂの下流端は給湯栓１００に接続されている。浴槽水路３６ｃの下流端は、後述する浴槽水加熱水路８０の循環ポンプ８２に接続されている。浴槽水路３６ｃには、開閉弁３６ｄが介装されている。
【００２３】
蓄熱タンク２２内には、満水まで水が貯留されている。図１に示すように、蓄熱タンク２２には、サーミスタ２３〜２６が、高さ方向に略均等間隔で取り付けられている。各サーミスタ２３〜２６は、その取付位置の水の温度を測定する。
【００２４】
追い焚き・暖房系統６０は、熱供給循環水路６２と、浴槽水加熱水路８０を備えている。
【００２５】
熱供給循環水路６２は、後述する浴槽熱交換器８４と、低温暖房機１０４と、高温暖房機１０６に熱を供給する水路である。熱供給循環水路６２は、熱回収水路６３と、シスターン６４と、ポンプ水路６５と、低温暖房水路６６と、バーナ加熱水路６７と、熱交換水路６８と、第１高温暖房水路６９と、第２高温暖房水路７０と、バイパス水路７１を備えている。
【００２６】
シスターン６４は、上部が開放されている容器であり、内部に水を貯留している。シスターン６４には、熱回収水路６３の下流端と、ポンプ水路６５の上流端が接続されている。シスターン６４内には、熱回収水路６３から水が流入する。シスターン６４内の水は、ポンプ水路６５に導入される。
【００２７】
ポンプ水路６５は、下流端が低温暖房水路６６の上流端とバーナ加熱水路６７の上流端に接続されている。ポンプ水路６５には、循環ポンプ６５ａが介装されている。循環ポンプ６５ａは、ポンプ水路６５内の水を下流側へ送り出す。
【００２８】
低温暖房水路６６は、その下流端が、熱回収水路６３の上流端及び第２高温暖房水路７０の下流端に接続されている。低温暖房水路６６には、低温暖房機１０４と、開閉弁６６ａが介装されている。低温暖房機１０４は、低温暖房水路６６内を流れる水の熱を利用して、居室を暖房する。開閉弁６６ａは、低温暖房水路６６を開閉する。
また、低温暖房水路６６には、開閉弁６６ａの上流側と低温暖房水路６６の下流側とを接続するバイパス水路６６ｂが形成されている。バイパス水路６６ｂには、開閉弁６６ｃが介装されている。開閉弁６６ｃは、バイパス水路６６ｂを開閉する。
【００２９】
熱回収水路６３は、その下流端が、シスターン６４に接続されている。熱回収水路６３は、三流体熱交換器５４を通過している。
また、熱回収水路６３には、三流体熱交換器５４の上流側と下流側とを接続するバイパス水路６３ａが形成されている。バイパス水路６３ａは、流路の直径が大きく、三流体熱交換器５４を通過する水路（熱回収水路６３の一部）より通水抵抗が非常に小さい。バイパス水路６３ａには、開閉弁６３ｂが介装されている。開閉弁６３ｂは、バイパス水路６３ａを開閉する。
【００３０】
バーナ加熱水路６７は、その下流端が、熱交換水路６８の上流端及び第１高温暖房水路６９の上流端に接続されている。バーナ加熱水路６７には、バーナ加熱装置６７ａが介装されている。バーナ加熱装置６７ａは、バーナ加熱水路６７内を流れる水を加熱する。
【００３１】
熱交換水路６８は、その下流端が、熱回収水路６３の最下流部に接続されている。熱交換水路６８は、浴槽熱交換器８４を通過している。熱交換水路６８には、開閉弁６８ａが介装されている。開閉弁６８ａは、熱交換水路６８を開閉する。
【００３２】
第１高温暖房水路６９は、その下流端が、第２高温暖房水路７０の上流端及びバイパス水路７１の上流端に接続されている。第１高温暖房水路６９には、開閉弁６９ａが介装されている。開閉弁６９ａは、第１高温暖房水路６９を開閉する。
【００３３】
第２高温暖房水路７０は、その下流端が、熱回収水路６３の上流端及び低温暖房水路６６の下流端に接続されている。第２高温暖房水路７０には、高温暖房機１０６と開閉弁７０ａが介装されている。高温暖房機１０６は、第２高温暖房水路７０内を流れる水の熱を利用して、居室を暖房する。開閉弁７０ａは、第２高温暖房水路７０を開閉する。
【００３４】
バイパス水路７１は、その下流端が熱回収水路６３の途中（バイパス水路６３ａの下流端の接続部より下流側）に接続されている。
【００３５】
浴槽水加熱水路８０は、その上流端と下流端の双方が浴槽１０２に接続されている。浴槽水加熱水路８０は、浴槽熱交換器８４を通過している。浴槽水加熱水路８０の浴槽熱交換器８４より上流側には、循環ポンプ８２とサーミスタ８６が介装されている。
循環ポンプ８２は、浴槽水加熱水路８０内の水を下流側へ送り出す。また、上述したように、循環ポンプ８２には、浴槽水路３６ｃの下流端が接続されている。浴槽水路３６ｃから水が供給されている状態で作動すると、循環ポンプ８２は浴槽水路３６ｃからの水を浴槽水加熱水路８０の下流側に送り出す。
サーミスタ８６は、循環ポンプ８２の下流側に介装されている。サーミスタ８６は、浴槽水加熱水路８０内の水の温度を検出する。
【００３６】
次に、温水供給システム１０の動作について説明する。温水供給システム１０は、蓄熱運転、湯張り運転、給湯運転、低温暖房運転、高温暖房運転、追い焚き運転を実行することができる。以下に、各運転について説明する。
【００３７】
（蓄熱運転）
蓄熱運転は、ヒートポンプ５０で生成した熱により、蓄熱タンク２２内の水を加熱する運転である。図１中の実線矢印は、蓄熱運転中の熱媒体及び蓄熱タンク２２内の水の流れを示している。蓄熱運転では、制御装置９０がヒートポンプ５０と循環ポンプ３２を作動させる。ヒートポンプ５０を作動させると、熱媒体循環路５１内を熱媒体が循環して、三流体熱交換器５４に熱が供給される。また、循環ポンプ３２を作動させると、タンク水加熱水路３０内を蓄熱タンク２２内の水が循環する。すなわち、蓄熱タンク２２の下部に存在する水がタンク水加熱水路３０内に導入され、導入された水が三流体熱交換器５４で加熱され、加熱された水が蓄熱タンク２２の上部に戻される。したがって、蓄熱タンク２２に高温の水が貯められる。
このように、タンク水加熱水路３０は、加熱された水を蓄熱タンク２２の上部に供給する。また、後に詳述するが、蓄熱タンク２２内の水を給湯栓１００または浴槽１０２に供給すると、水道水導入水路３４から蓄熱タンク２２の下部に水道水（冷水）が供給される。したがって、蓄熱タンク２２内には、その上部に高温の水の層が形成され、その下部に低温の水の層が形成される。このように、高温の層と低温の層が形成されている状態を、温度成層という。通常、蓄熱タンク２２の下部に存在する水の温度は２０℃前後である。また、蓄熱タンク２２の上部には５０℃前後の温水を供給する必要がある。蓄熱タンク２２の上部に比較的温度の低い水（例えば、４０℃未満の水）を供給すると、蓄熱タンク２２内の温度成層が破壊されてしまうためである。したがって、蓄熱運転では、蓄熱タンク２２の下部からタンク水加熱水路３０に導入された２０℃前後の水が、三流体熱交換器５４で５０℃前後まで加熱される。
【００３８】
（湯張り運転）
湯張り運転は、蓄熱タンク２２内の水を浴槽１０２に供給して、浴槽１０２に湯張りする運転である。図１中の点線矢印は、湯張り運転中のタンク水系統２０及び浴槽水加熱水路８０内の水の流れを示している。湯張り運転では、制御装置９０は、流量調整弁３６ａと開閉弁３６ｄを開く。すると、水道水供給源１１０からの水圧によって、水道水導入水路３４（第１導入水路３４ａ）から蓄熱タンク２２の下部に水道水が流入する。それと同時に、蓄熱タンク２２の上部の水が、供給水路３６（浴槽水路３６ｃ）を介して循環ポンプ８２に供給される。また、制御装置９０は、循環ポンプ８２を作動させる。すると、循環ポンプ８２に供給された水が浴槽水加熱水路８０内を下流側へ送り出され、浴槽１０２に供給される。これによって、湯張りが行われる。
なお、制御装置９０は、蓄熱タンク２２から供給水路３６に供給される水の温度（すなわち、サーミスタ２３の検出温度）が浴槽１０２に供給する水の設定温度より高い場合には、流量調整弁３４ｅを開いて第２導入水路３４ｂから供給水路３６に水道水を導入する。したがって、蓄熱タンク２２から供給された水と第２導入水路３４ｂから供給された水道水とが供給水路３６内で混合される。制御装置９０は、浴槽１０２に供給される水の温度（すなわち、サーミスタ８６の検出温度）が設定温度と一致するように、流量調整弁３４ｅの開度を調整する。
また、蓄熱タンク２２から供給水路３６に供給される水の温度が設定温度より低い場合には、制御装置９０はバーナ加熱装置３８を作動させる。制御装置９０は、浴槽１０２に供給される水の温度が設定温度と一致するように、バーナ加熱装置３８の出力を制御する。
【００３９】
（給湯運転）
給湯運転は、蓄熱タンク２２内の水を給湯栓１００に供給する運転である。給湯栓１００が開かれると、制御装置９０は、流量調整弁３６ａを開く。すると、水道水供給源１１０からの水圧によって、水道水導入水路３４（第１導入水路３４ａ）から蓄熱タンク２２の下部に水道水が流入する。それと同時に、蓄熱タンク２２の上部の水が、供給水路３６（給湯栓水路３６ｂ）を介して給湯栓１００に供給される。
なお、制御装置９０は、湯張り運転時と同様に、流量調整弁３４ｅまたはバーナ加熱装置３８を制御して、給湯栓１００に供給される水の温度を設定温度に調整する。
【００４０】
（低温暖房運転）
低温暖房運転は、低温暖房機１０４を作動させて居室を暖房する運転である。
制御装置９０は、最初に、開閉弁６３ｂ、６６ａ、６９ａを開くとともに、循環ポンプ６５ａを作動させ、バーナ加熱装置６７ａを作動させる。これによって、熱供給循環水路６２内に水を循環させるとともに、その循環させる水を加熱する。図２は、低温暖房運転開始時の温水供給システム１０を示している。図２中の矢印に示すように、上記の制御を実行すると、熱供給循環水路６２内に、シスターン６４から、ポンプ水路６５、低温暖房水路６６、及び、熱回収水路６３を経てシスターン６４に戻る第１低温暖房循環経路と、シスターン６４から、ポンプ水路６５、バーナ加熱水路６７、第１高温暖房水路６９、バイパス水路７１、及び、熱回収水路６３の下流部を経てシスターン６４に戻る第２低温暖房循環経路が形成される。
第１低温暖房循環経路及び第２低温暖房循環経路内を流れる水（以下では、単に循環水という場合がある）は、バーナ加熱装置６７ａにより加熱される。これによって、低温暖房機１０４に高温の循環水が供給される。低温暖房機１０４は、供給された循環水の熱を利用して、居室を暖房する。バーナ加熱装置６７ａの加熱能力は高いので、循環水は急速に加熱される。したがって、低温暖房機１０４は、短時間で適切な温度の暖房運転を実行可能となる（すなわち、立ち上がりが早い）。
なお、第１低温暖房循環経路の熱回収水路６３では、開閉弁６３ｂ（すなわち、バイパス水路６３ａ）が開かれている。したがって、熱回収水路６３内をバイパス水路６３ａの上流端まで流れた水のほとんどは、バイパス水路６３ａへ流れ、三流体熱交換器５４にはほとんど水が流れない。これによって、三流体熱交換器５４で循環水と熱媒体循環路５１内の熱媒体との熱交換が生じ、循環水が温度低下することが防止されている。
【００４１】
バーナ加熱装置６７ａの加熱後に循環水の温度が安定したら、制御装置９０は、バーナ加熱装置６７ａを停止する。その後、制御装置９０は、開閉弁６３ｂ、６９ａを閉じるとともに、ヒートポンプ５０を作動させる。開閉弁６９ａを閉じるので、第２低温暖房循環経路に水が流れなくなり、第１低温暖房循環経路内にのみ循環水が流れるようになる。また、開閉弁６３ｂを閉じるので、第１低温暖房循環経路内の循環水が、三流体熱交換器５４を通過するようになる。また、ヒートポンプ５０の作動により、高温の熱媒体が三流体熱交換器５４内の熱媒体循環路５１内を通過するようになる。したがって、三流体熱交換器５４で、熱媒体との熱交換により循環水が加熱される。すなわち、ヒートポンプ５０（すなわち、三流体熱交換器５４）で循環水が加熱され、加熱された循環水が第１低温暖房循環経路を介して低温暖房機１０４に供給される。これによって、低温暖房機１０４が作動する。
ヒートポンプ５０の加熱能力はそれほど高くないが、バーナ加熱装置６７ａの加熱によって既に循環水の温度が上昇されているので、ヒートポンプ５０は循環水の温度を維持する程度に加熱すればよい。したがって、ヒートポンプ５０の加熱能力でも好適に暖房運転を実行することができる。また、ヒートポンプ５０によれば、循環水を非常に高効率で加熱することができる。
【００４２】
また、温水供給システム１０は、低温暖房運転と同時に蓄熱運転を実行することもできる。この場合、制御装置９０は、蓄熱運転（図１参照）と、バーナ加熱装置６７ａを熱源とした低温暖房運転（図２参照）を実行する。図２に示すように、開閉弁６３ｂが開かれるので、三流体熱交換器５４にはほとんど循環水が流れない。すなわち、熱供給循環水路６２内の水はバーナ加熱装置６７ａでのみ加熱し、ヒートポンプ５０の熱を蓄熱運転のみに利用する。
【００４３】
（高温暖房運転）
高温暖房運転は、高温暖房機１０６を作動させて居室を暖房する運転である。
制御装置９０は、最初に、開閉弁６３ｂ、６９ａ、７０ａを開くとともに、循環ポンプ６５ａを作動させ、バーナ加熱装置６７ａを作動させる。これによって、熱供給循環水路６２内に水を循環させるとともに、その循環させる水を加熱する。図３は、高温暖房運転開始時の温水供給システム１０を示している。図３中の矢印に示すように、上記の制御を実行すると、熱供給循環水路６２内に、シスターン６４から、ポンプ水路６５、バーナ加熱水路６７、第１高温暖房水路６９、第２高温暖房水路７０及び熱回収水路６３を経てシスターン６４に戻る高温暖房循環経路が形成される。なお、第１高温暖房水路６９の下流端に達した水の一部は、バイパス水路７１を通って熱回収水路６３に流入する。
高温暖房循環経路内を流れる水（以下では、単に循環水という場合がある）は、バーナ加熱装置６７ａによって加熱される。高温暖房機１０６は、循環水の熱を利用して、居室を暖房する。バーナ加熱装置６７ａの加熱能力は高いので、循環水は急速に加熱される。したがって、高温暖房機１０６は、短時間で適切な温度の暖房運転を実行可能となる（すなわち、立ち上がりが早い）。
また、熱回収水路６３では、開閉弁６３ｂが開いているので、ほとんどの水がバイパス水路６３ａを流れ、三流体熱交換器５４にはほとんど水が流れない。これによって、三流体熱交換器５４で循環水と熱媒体循環路５１内の熱媒体との熱交換が生じ、循環水が温度低下することが防止されている。
【００４４】
バーナ加熱装置６７ａの加熱後に循環水の温度が安定したら、制御装置９０は、バーナ加熱装置６７ａを停止する。その後、制御装置９０は、開閉弁６３ｂを閉じるとともに、ヒートポンプ５０を作動させる。開閉弁６３ｂを閉じるので、循環水は三流体熱交換器５４を通過するようになる。ヒートポンプ５０の作動により、三流体熱交換器５４で、循環水が加熱される。これによって、高温暖房機１０６を高効率で作動させることができる。
【００４５】
また、温水供給システム１０は、高温暖房運転と同時に蓄熱運転を実行することもできる。この場合、制御装置９０は、蓄熱運転（図１参照）と、バーナ加熱装置６７ａを熱源とした高温暖房運転（図３参照）を実行する。図３に示すように、開閉弁６３ｂが開かれるので、三流体熱交換器５４にはほとんど循環水が流れない。すなわち、熱供給循環水路６２内の水はバーナ加熱装置６７ａでのみ加熱し、ヒートポンプ５０の熱を蓄熱運転のみに利用する。
【００４６】
（追い焚き運転）
追い焚き運転は、浴槽水を加熱する運転である。図４は、追い焚き運転時に制御装置９０が実行する処理を示すフローチャートである。
【００４７】
制御装置９０は、最初に、ステップＳ２で循環ポンプ８２を作動させる。これによって、浴槽水加熱水路８０内に浴槽水が循環する。
【００４８】
ステップＳ４では、制御装置９０は、サーミスタ８６の検出温度を読み取る。サーミスタ８６の検出温度は、浴槽１０２内の水の温度と略等しい。ステップＳ４では、制御装置９０は、サーミスタ８６の検出温度が基準温度以上であるか否かを判定する。基準温度は、追い焚き運転の設定温度（本実施例では４２℃前後）より所定温度（例えば、１５℃）低い温度である。
【００４９】
サーミスタ８６の検出温度が基準温度以上である場合（すなわち、ステップＳ４でＹＥＳの場合）、制御装置９０は、開閉弁６６ｃ及び６８ａを開き、循環ポンプ６５ａを作動させる（ステップＳ６）。これによって、熱供給循環水路６２内に水を循環させる。図５は追い焚き運転時の温水供給システム１０を示している。図５中の矢印に示すように、追い焚き運転では、熱供給循環水路６２内に、シスターン６４から、ポンプ水路６５、バーナ加熱水路６７及び熱交換水路６８を経てシスターン６４に戻る第１追い焚き循環経路と、シスターン６４から、ポンプ水路６５、低温暖房水路６６及び熱回収水路６３を経てシスターン６４に戻る第２追い焚き循環経路が形成される。なお、低温暖房水路６６では、水はバイパス水路６６ｂを流れ、低温暖房機１０４を通過しない。
【００５０】
ステップＳ８では、制御装置９０は、ヒートポンプ５０を作動させる。すると、三流体熱交換器５４で、熱媒体循環路５１内の熱媒体との熱交換によって、熱回収水路６３内を流れる水が加熱される。熱回収水路６３内の水が加熱されると、熱交換水路６８に温水が流入するようになる。したがって、浴槽熱交換器８４で、熱交換水路６８内を流れる水と浴槽水加熱水路８０内を流れる水との間で熱交換が行われ、浴槽水加熱水路８０内の水が加熱される。すなわち、浴槽１０２から浴槽水加熱水路８０内に導入された水が浴槽熱交換器８４で加熱され、加熱された水が浴槽１０２に戻される。これによって、浴槽水が加熱される。
このように、ステップＳ８を実行すると、第１追い焚き循環経路及び第２追い焚き循環経路を循環する水が、三流体熱交換器５４で熱を回収し、浴槽熱交換器８４で浴槽水加熱水路８０内の水に熱を放出する。すなわち、ヒートポンプ５０で生成した熱により浴槽水が加熱される。
【００５１】
ステップＳ１０に示すように、制御装置９０は、サーミスタ８６の検出温度が設定温度以上となるまで、ステップＳ８を継続する。そして、サーミスタ８６の検出温度が設定温度以上となると、ヒートポンプ５０を停止して（ステップＳ１２）、追い焚き運転を終了する。
【００５２】
追い焚き運転は、多くの場合、浴槽水の温度が入浴に最適な温度（すなわち、設定温度）より若干低い温度のときに実行される（例えば、３７℃前後の浴槽水を４２℃前後（設定温度）まで加熱するために実行される）。この場合、ステップＳ４でＹＥＳと判定され、ステップＳ６及びＳ８が実行される。
このため、ステップＳ８では、浴槽熱交換器８４によって、浴槽水加熱水路８０内を流れる水を数℃（例えば、５℃程度）昇温させることになる。この場合、熱交換水路６８内を流れる水は浴槽熱交換器８４を通過するときに数℃、温度低下する。したがって、三流体熱交換器５４は、熱回収水路６３内の水を数℃昇温させることになる。このように、ステップＳ８では、各熱交換器を流れる水が、その前後で数℃の温度変化が生じるように、各水路の水の流量（すなわち、循環ポンプ６５ａ、８２の回転数、及び、各開閉弁の開度）が設定されている。
三流体熱交換器５４で熱回収水路６３内の水を数度昇温させる場合、ヒートポンプ５０の加熱効率は最も高くなる。したがって、ステップＳ８では、非常に高効率で浴槽水を加熱することができる。
【００５３】
一方、前日の残り湯を追い焚きする場合等は、追い焚き前の浴槽水の温度は基準温度より低温である。この場合、ステップＳ４でＮＯと判定される。すると、制御装置９０は、ステップＳ１４を実行する。ステップＳ１４では、開閉弁６８ａを開き、循環ポンプ６５ａを作動させる。したがって、上記のステップＳ６で説明した第１追い焚き循環経路が形成される。
【００５４】
ステップＳ１６では、制御装置９０は、バーナ加熱装置６７ａを作動させる。すなわち、第１追い焚き循環経路内の水を、バーナ加熱装置６７ａによって加熱する。すると、バーナ加熱装置６７ａで加熱後の水が熱交換水路６８に流入する。バーナ加熱装置６７ａの加熱能力が高いので、上述したステップＳ８に比べて熱交換水路６８に流入する水の温度は高温となる。このため、浴槽熱交換器８４で浴槽水加熱水路８０内の水がより大きく昇温される。すなわち、浴槽水が急速に加熱される。
【００５５】
ステップＳ１８に示すように、制御装置９０は、サーミスタ８６の検出温度が設定温度以上となるまで、ステップＳ１６を継続する。そして、サーミスタ８６の検出温度が設定温度以上となると、バーナ加熱装置６７ａを停止して（ステップＳ２０）、追い焚き運転を終了する。
【００５６】
以上に説明したように、本実施例の温水供給システム１０は、追い焚き運転を実行するときに、蓄熱タンク２２の蓄熱（すなわち、蓄熱タンク２２内の温水の熱）を利用せずに、ヒートポンプ５０で生成した熱を利用する。すなわち、蓄熱タンク２２を介さずに、ヒートポンプ５０で生成した熱を浴槽水に伝達する。したがって、ヒートポンプ５０を高効率で作動させることが可能となる。
仮に、蓄熱タンク２２の蓄熱を浴槽水に伝達して加熱すると、蓄熱タンク２２の蓄熱が減少する。この場合、蓄熱運転によって蓄熱タンク２２に熱を補給する必要がある。上述したように、蓄熱運転では、三流体熱交換器５４によって、蓄熱タンク２２の下部の２０℃前後の水を５０℃前後まで昇温させる。このように、水を数十℃昇温させる場合、ヒートポンプ５０の加熱効率はそれほど高くない。
このように、本実施例の温水供給システム１０は、蓄熱タンク２２を備えているにも関わらず、追い焚き運転においては、蓄熱タンク２２を介さずにヒートポンプ５０で生成した熱を浴槽水に伝達することを特徴とする。これによって、温水供給システム１０の高効率化を実現している。
また、このように蓄熱タンク２２の蓄熱を追い焚き運転に利用しなければ、蓄熱タンク２２に追い焚き運転用の熱を蓄熱する必要が無くなる。したがって、蓄熱タンク２２を小型化することができる。すなわち、温水供給システム１０を小型化することができる。
【００５７】
また、上述した温水供給システム１０は、１つの三流体熱交換器５４により、熱媒体循環路５１と熱供給循環水路６２の間の熱交換と、熱媒体循環路５１とタンク水加熱水路３０の間の熱交換を行う。これによっても、温水供給システム１０が小型化されている。
【００５８】
なお、温水供給システム１０を小型化する必要性が低い場合には、熱媒体循環路５１と熱供給循環水路６２の間で熱交換する熱交換器と、熱媒体循環路５１とタンク水加熱水路３０の間で熱交換する熱交換器とをそれぞれ別個に設けてもよい。
【００５９】
また、上述した温水供給システム１０では、ヒートポンプ５０で生成された高温の熱媒体の熱が、三流体熱交換器５４、熱供給循環水路６２、浴槽熱交換器８４を介して、浴槽水加熱水路８０内の水（すなわち、浴槽水）に伝達される。すなわち、熱媒体の熱が、三流体熱交換器５４と浴槽熱交換器８４の２つの熱交換器を介して浴槽水に伝達される。しかしながら、単一の熱交換器によって、熱媒体循環路５１内の熱媒体と浴槽水加熱水路８０内の水との間で熱交換するようにしてもよい。また、熱媒体の熱を、３つ以上の熱交換器を介して浴槽水に伝達してもよい。
【００６０】
また、上述した温水供給システム１０では、熱供給循環水路６２内に水を循環するように構成されていたが、他の流体（熱媒体）を循環するように構成してもよい。熱供給循環水路６２内の流体は、使用者の手に直接触れるものではないので、種々の流体を採用することができる。
【００６１】
また、上述した温水供給システム１０は、蓄熱タンク２２内の水を温水利用箇所（給湯栓１００及び浴槽１０２）に供給したが、蓄熱タンク２２内の温水の熱により水道水を加熱し、加熱した水道水を温水利用箇所に供給してもよい。
【００６２】
以上、本発明の具体例を詳細に説明したが、これらは例示にすぎず、特許請求の範囲を限定するものではない。特許請求の範囲に記載の技術には、以上に例示した具体例をさまざまに変形、変更したものが含まれる。
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００６３】
【図１】蓄熱運転時及び湯張り運転時の状態を示す温水供給システム１０の接続図。
【図２】低温暖房運転開始時の状態を示す温水供給システム１０の接続図。
【図３】高温暖房運転開始時の状態を示す温水供給システム１０の接続図。
【図４】追い焚き運転時に制御装置９０が実行する処理を示すフローチャート。
【図５】追い焚き運転時の状態を示す温水供給システム１０の接続図。
【符号の説明】
【００６４】
１０：温水供給システム
２０：タンク水系統
２２：蓄熱タンク
３０：タンク水加熱水路
３２：循環ポンプ
３４：水道水導入水路
３６：供給水路
３８：バーナ加熱装置
５０：ヒートポンプ
５１：熱媒体循環路
５２：熱交換器
５３：圧縮器
５４：三流体熱交換器
５５：膨張弁
６０：追い焚き・暖房系統
６２：熱供給循環水路
６３：熱回収水路
６４：シスターン
６５：ポンプ水路
６５ａ：循環ポンプ
６６：低温暖房水路
６７：バーナ加熱水路
６７ａ：バーナ加熱装置
６８：熱交換水路
６９：第１高温暖房水路
７０：第２高温暖房水路
７１：バイパス水路
８０：浴槽水加熱水路
８２：循環ポンプ
８４：浴槽熱交換器
９０：制御装置
１００：給湯栓
１０２：浴槽
１０４：低温暖房機
１０６：高温暖房機
１１０：水道水供給源
【図１】
0005097624.tif 000002
【図２】
0005097624.tif 000003
【図３】
0005097624.tif 000004
【図４】
0005097624.tif 000005
【図５】
0005097624.tif 000006